(57)【要約】      （修正有） 【課題】コストが低く、強度が高く、断熱性が良い単層式パルプ・アルミ箔複合モールド容器及び二層式パルプ・アルミ箔複合モールド容器を提供する。【解決手段】パルプ・アルミ箔複合モールド容器の本体は、ホットプレスにより結合されたアルミ箔層１とパルプモールド層２を有している。【選択図】図１
0003178361.tif 000002
【実用新案登録請求の範囲】
【請求項１】
本体を備え、
前記本体は、内層がアルミ箔層（１）であり、外層がパルプモールド層（２）である緊密に結合された二層構造を有している、
ことを特徴とする単層式パルプ・アルミ箔複合モールド容器。
【請求項２】
前記アルミ箔層（１）と前記パルプモールド層（２）は、ホットプレスにより結合されている、ことを特徴とする請求項１に記載の単層式パルプ・アルミ箔複合モールド容器。
【請求項３】
前記本体は、カップ状または椀状または皿状の形状を有している、ことを特徴とする請求項１または２に記載の単層式パルプ・アルミ箔複合モールド容器。
【請求項４】
本体を備え、
前記本体は、内層と外層がアルミ箔層（１）であり、中間層がパルプモールド層（２）である緊密に結合された三層構造を有している、
ことを特徴とする二層式パルプ・アルミ箔複合モールド容器。
【請求項５】
前記アルミ箔層（１）と前記パルプモールド層（２）は、ホットプレスにより結合されている、ことを特徴とする請求項４に記載の二層式パルプ・アルミ箔複合モールド容器。
【請求項６】
前記本体は、カップ状または椀状または皿状の形状を有している、ことを特徴とする請求項４または５に記載の二層式パルプ・アルミ箔複合モールド容器。
【考案の詳細な説明】
【技術分野】
【０００１】
本考案は、製造業におけるパルプ・アルミ箔複合モールド製品に係り、特に、新型パルプ・アルミ箔複合モールド容器に関する。
【背景技術】
【０００２】
従来の発泡プラスチック製品は、有害性が高く、分解できず、環境汚染を引き起こし、環境保護に影響を与えるため、現在、アルミ箔製品（回収可能）、パルプ成形品（分解可能）などにより代替されていく。しかし、純アルミ箔の製品の長期使用は、資源浪費になり、コストが高い。
【考案の概要】
【考案が解決しようとする課題】
【０００３】
上記のような発泡プラスチック製品及びアルミ製品の不足を鑑みて、本考案は、パルプ・アルミ箔複合モールド容器を提供することを目的とする。
【課題を解決するための手段】
【０００４】
上記目的を達成するために、本考案に係る単層式パルプ・アルミ箔複合モールド容器は、本体を備え、前記本体は緊密に結合された二層構造を有し、そのうち、内層はアルミ箔層であり、外層はパルプモールド層である。
【０００５】
前記単層式パルプ・アルミ箔複合成形容器において、前記アルミ箔層と前記パルプモールド層は、ホットプレスにより結合されている。
【０００６】
また、ユーザーの要求に応じて、前記本体を、例えばカップ状または椀状または皿状のように、様々な形状に製造することができる。
【０００７】
上記目的を達成するために、本考案に係る二層式パルプ・アルミ箔複合モールド容器は、本体を備え、前記本体は緊密に結合された三層構造を有し、そのうち、内層と外層はアルミ箔層であり、中間層はパルプモールド層である。
【０００８】
前記二層式パルプ・アルミ箔複合モールド容器において、前記アルミ箔層と前記パルプモールド層は、ホットプレスにより結合されている。
【０００９】
また、ユーザーの要求に応じて、前記本体を、例えばカップ状または椀状または皿状のように、様々な形状に製造することができる。
【考案の効果】
【００１０】
本考案による新型パルプ・アルミ箔複合モールド容器を用いることで、アルミ箔製品の厚みが減少でき、コストを低くすることができ、アルミ箔製品及びパルプ成形品が所有しているすべての特性を満たすことができる。
【００１１】
また、本考案によれば、単純なパルプモールド品及び単純なアルミ箔製品を変えて新領域に達し、パルプ・アルミ箔モールド容器をオーブン、電子レンジ、電磁調理器などによる加熱の可能性を実現して、パルプ・アルミ箔複合モールド容器の新展開を実現していく。また、パルプ・アルミ箔複合モールド容器は、形状が新規であり、使い捨て品もあるし、特殊の業界において、二層式パルプ・アルミ箔複合モールド容器を繰り返して使用することもでき、コストが低い。また、強度が弱い単純なアルミ箔製品に比べ、パルプ・アルミ箔複合モールド容器は強度が向上されている。さらに、ユーザーの要求に応じてパルプ・アルミ箔複合モールド容器を様々な形状に製造することもできる。パルプ・アルミ箔複合モールド容器を使うと、単純なアルミ箔製品の断熱性が悪く、熱効率が低い問題を解決することができる。なお、パルプ・アルミ箔複合モールド容器は、そのアルミ箔層が回収可能であり、パルプモールド層が分解可能であるため、地球にやさしい。
【図面の簡単な説明】
【００１２】
【図１】本考案に係る単層式パルプ・アルミ箔複合モールド容器の構造模式図である。
【図２】本考案に係る二層式パルプ・アルミ箔複合モールド容器の構造模式図である。
【図３】パルプ・アルミ箔複合モールド容器を電磁調理器で加熱している状態を示す模式図である。
【図４】パルプ・アルミ箔複合モールド容器を電子レンジで加熱している状態を示す模式図である。
【考案を実施するための形態】
【００１３】
単層式パルプ・アルミ箔複合モールド容器は、本体を備え、本体は緊密に結合された二層構造を有し、内層がアルミ箔層１であり、外層がパルプモールド層２であり、アルミ箔層１とパルプモールド層２は、ホットプレスにより結合されており、また、本体の形状は、ユーザーの要求に応じて、例えばカップ状または椀状または皿状のように、様々な形状に特注製造することができる。
【００１４】
二層式パルプ・アルミ箔複合モールド容器は、本体を備え、本体は緊密に結合された三層構造を有し、内層と外層がアルミ箔層１であり、中間層がパルプモールド層であり、アルミ箔層１とパルプモールド層２は、ホットプレスにより結合されており、また、本体の形状は、ユーザーの要求に応じて、例えばカップ状または椀状または皿状のように、様々な形状に特注製造することができる。
【００１５】
単層式パルプ・アルミ箔複合モールド容器を実施する方式は以下のとおりである。すなわち、形態一：湿潤パルプを成形し高温高圧によりパルプ模型を形成−上層アルミ箔複合ホットプレス。形態二：湿潤パルプを成形し高温高圧によりパルプ模型を形成−ホットプレス−上層アルミ箔複合再ホットプレス。二層式パルプ・アルミ箔複合モールド容器を実施する形態は以下のとおりである。すなわち、形態一：湿潤パルプを成形し高温高圧によりパルプ模型を形成−ホットプレス−上層アルミ箔複合ホットプレス−下層アルミ箔複合ホットプレス。形態二：湿潤パルプを成形し高温高圧によりパルプ模型を形成−ホットプレス−上下層アルミ箔の複合同時に再ホットプレス。
【００１６】
単層式パルプ・アルミ箔複合モールド容器に対し、電磁調理器で加熱する場合、容器内のキャリアは液体に限っており、オーブンまたは電子レンジで加熱する場合、容器内のキャリアに対する制限がない。二層式パルプ・アルミ箔複合モールド容器に対しては、オーブン及び電子レンジのみで加熱することができ、容器内のキャリアについては何の制限もない。電子レンジの中で二層式パルプ・アルミ箔複合モールド容器を使うと、容器の絶縁性が増強され、アルミ製品の金属のマイクロ波反射性能によるパワー損失を変わることができ、アルミ製容器に比べ実用性を有し、冷蔵食物を直接加熱してから使い捨てることができる。
【００１７】
以上のように、本考案によれば、単純なパルプモールド品及び単純なアルミ箔製品を変えて新領域に達し、パルプ・アルミ箔モールド容器をオーブン、電子レンジ、電磁調理器などによる加熱の可能性を実現して、パルプ・アルミ箔複合モールド容器の新展開を実現していく。また、パルプ・アルミ箔複合モールド容器は、形状が新規であり、使い捨て品もあるし、特殊の業界において、二層式パルプ・アルミ箔複合モールド容器を繰り返して使用することもでき、コストが低い。また、強度が弱い単純なアルミ箔製品に比べ、パルプ・アルミ箔複合モールド容器は強度が向上されている。さらに、ユーザーの要求に応じてパルプ・アルミ箔複合モールド容器を様々な形状に製造することもできる。パルプ・アルミ箔複合モールド容器を使うと、単純なアルミ箔製品の断熱性が悪く、熱効率が低い問題を解決することができる。なお、パルプ・アルミ箔複合モールド容器は、そのアルミ箔層が回収可能であり、パルプモールド層が分解可能であるため、地球にやさしい。
【００１８】
本考案は、上述した実施形態に限定されず、本発明の技術的思想を逸脱しない範囲内で、様々な変形、置換などが可能であり、このような変形、置換などは、実用新案登録請求の範囲に属するものである。
【符号の説明】
【００１９】
１    アルミ箔層
２    パルプモールド層
【図１】
0003178361.tif 000003
【図２】
0003178361.tif 000004
【図３】
0003178361.tif 000005
【図４】
0003178361.tif 000006